(57)【要約】      （修正有）【課題】二重構造を備えた燃焼器具を提供する。【解決手段】二重構造を備えた燃焼器具１０は、本体２０と芯部材３０と嵌め環４０とを含む。本体は、内層壁２１と外層壁２２とを含み、内層壁内に燃料用容器が設けられ、内層壁に燃料用容器に連通する開口部が設けられる。外層壁は、内層壁に外嵌され、内層壁と外層壁との間に１つの中空空間が形成され、内層壁及び外層壁が一体成形構造となり、芯部材が開口部を通して燃料用容器内に挿設され、嵌め環が芯部材の外周縁部に外嵌されると共に開口部の内壁面に当接される。従って、燃焼器具は上記二重構造を通じて、良好な断熱効果を奏することができる。【選択図】図１
2020140949.tif 000002
【特許請求の範囲】
【請求項１】
内層壁と外層壁とを含み、前記内層壁内に燃料用容器が設けられ、前記内層壁に前記燃料用容器に連通する開口部が設けられ、前記外層壁が前記内層壁に外嵌され、前記内層壁と前記外層壁との間に１つの中空空間が形成される本体と、
前記開口部を通して前記燃料用容器内に挿設される芯部材と、
前記芯部材の外周縁部に外嵌されると共に前記開口部の内壁面に当接される嵌め環と、
を含むことを特徴とする、二重構造を備えた燃焼器具。
【請求項２】
前記内層壁及び前記外層壁は、一体成形構造となっていることを特徴とする、請求項１に記載の燃焼器具。
【請求項３】
前記外層壁の内壁面は、前記内層壁の外壁面に接触せず、前記内層壁が格納部と連通管部とを含み、前記格納部が円筒状を呈し、前記燃料用容器が前記格納部に設けられ、前記連通管部が前記格納部に接続され、前記開口部が前記連通管部に設けられ、前記外層壁が外筒部と接続部とを含み、前記外筒部が中空円筒状を呈し、前記格納部の円弧の中心軸が前記外筒部の円弧の中心軸と同一で、前記接続部の一側が前記連通管部の前記格納部とは異なる端に接続され、かつ他側が前記外筒部の垂直方向に沿う頂端に接続されることを特徴とする、請求項２に記載の燃焼器具。
【請求項４】
前記外層壁の内壁面は、前記内層壁の外壁面に接触せず、前記内層壁が格納部と連通管部とを含み、前記格納部が中空球状を呈し、前記燃料用容器が前記格納部に設けられ、前記連通管部が前記格納部に接続され、前記開口部が前記連通管部に設けられ、前記外層壁が中空球状を呈し、前記格納部の球の中心が前記外層壁の球の中心と異なり、前記外層壁が前記連通管部の前記格納部とは異なる端に接続されることを特徴とする、請求項２に記載の燃焼器具。
【請求項５】
前記外層壁の垂直方向に沿う底端に前記中空空間に連通する貫通孔が設けられ、前記本体にベース部が連結され、前記ベース部は前記貫通孔に設けられることを特徴とする、請求項１ないし４のいずれか一項に記載の燃焼器具。
【請求項６】
前記ベース部に釣合い重りが連結され、前記釣合い重りは前記中空空間内に設けられることを特徴とする、請求項５に記載の燃焼器具。
【請求項７】
前記ベース部は、広幅部と狭幅部とを含み、前記狭幅部の幅が前記広幅部の幅より小さく、前記狭幅部が前記貫通孔内に挿設され、前記広幅部が前記貫通孔外に突出されることを特徴とする、請求項６に記載の燃焼器具。
【請求項８】
前記狭幅部の前記広幅部とは異なる側の端面に凹部が凹設され、前記釣合い重りは前記凹部内に設けられることを特徴とする、請求項７に記載の燃焼器具。
【請求項９】
前記嵌め環は、環本体と２個のＯリングとを含み、前記環本体が前記芯部材に嵌め込まれ、前記環本体の前記芯部材とは異なる側の外周縁に２個の凹溝が環状に凹設され、前記２個のＯリングが前記２個の凹溝内に設けられ、前記２個のＯリングの前記環本体とは異なる側が前記連通管部の内壁面に当接されることを特徴とする、請求項３又は４に記載の燃焼器具。
【請求項１０】
前記内層壁及び前記外層壁の材質は、ガラスでかつ透明状を呈し、前記芯部材の材質が金属であることを特徴とする、請求項１ないし４のいずれか一項に記載の燃焼器具。
【発明の詳細な説明】
【技術分野】
【０００１】
本発明は、燃焼器具に関し、特に、二重構造を備えた燃焼器具に関する。
【背景技術】
【０００２】
「炎鑑賞の組立構造」の特許文献１を参照すると、炎鑑賞の組立構造であって、収容装置と燃焼装置と固定装置とを含み、収容装置は、燃料容器と上蓋と断熱材とを含み、収容部が燃料容器内に設けられ、かつ上蓋と接続し、燃料投入口及び第１位置決め溝が上蓋を貫設し、かつ収容部と連通し、断熱材が上蓋の収容部とは異なる端に接続され、第２位置決め溝が断熱材の頂上側及び底側を貫通し、かつ第１位置決め溝と連通し、燃焼装置の第２端が第２位置決め溝及び第１位置決め溝を通じて収容部に挿設され、第１挟持面及び第２挟持面が燃焼装置の両側に各々対応すると共に挟持される。
【０００３】
しかしながら、上記炎鑑賞の組立構造の火炎燃焼時、断熱材及び燃料容器上縁部の温度が最も高く、特に、燃料容器上縁の温度が下向きに伝導し、炎鑑賞の組立構造が長時間の使用を経ると、燃料容器全体の温度が高くなることで、持ち難くなっていた。
【先行技術文献】
【特許文献】
【０００４】
【特許文献１】台湾特許第Ｉ６２５４９３号
【発明の概要】
【発明が解決しようとする課題】
【０００５】
本発明は、かかる従来の問題点に鑑みてなされたもので、二重構造を備えた燃焼器具を提供することを主な目的とする。
【課題を解決するための手段】
【０００６】
本発明に係る二重構造を備えた燃焼器具は、本体と芯部材と嵌め環とを含み、前記本体が内層壁と外層壁とを含み、前記内層壁内に燃料用容器が設けられ、前記内層壁に前記燃料用容器に連通する開口部が設けられ、前記外層壁が前記内層壁に外嵌され、前記内層壁と前記外層壁との間に１つの中空空間が形成され、前記芯部材が前記開口部を通して前記燃料用容器内に挿設され、前記嵌め環が前記芯部材の外周縁部に外嵌されると共に前記開口部の内壁面に当接される。従って、前記燃焼器具は上記二重構造を通じて、良好な断熱効果を奏することができる。
【０００７】
前記内層壁及び前記外層壁は、一体成形構造となっている。
【０００８】
前記外層壁の内壁面は、前記内層壁の外壁面に接触せず、前記内層壁が格納部と連通管部とを含み、前記格納部が円筒状を呈し、前記燃料用容器が前記格納部に設けられ、前記連通管部が前記格納部に接続され、前記開口部が前記連通管部に設けられ、前記外層壁が外筒部と接続部とを含み、前記外筒部が中空円筒状を呈し、前記格納部の円弧の中心軸が前記外筒部の円弧の中心軸と同一で、前記接続部の一側が前記連通管部の前記格納部とは異なる端に接続され、かつ他側が前記外筒部の垂直方向に沿う頂端に接続される。
【０００９】
前記外層壁の内壁面は、前記内層壁の外壁面に接触せず、前記内層壁が格納部と連通管部とを含み、前記格納部が中空球状を呈し、前記燃料用容器が前記格納部に設けられ、前記連通管部が前記格納部に接続され、前記開口部が前記連通管部に設けられ、前記外層壁が中空球状を呈し、前記格納部の球の中心が前記外層壁の球の中心と異なり、前記外層壁が前記連通管部の前記格納部とは異なる端に接続される。
【００１０】
前記外層壁の垂直方向に沿う底端に前記中空空間に連通する貫通孔が設けられ、前記本体にベース部が連結され、前記ベース部は前記貫通孔に設けられる。
【００１１】
前記ベース部に釣合い重りが連結され、前記釣合い重りは前記中空空間内に設けられる。
【００１２】
前記ベース部は、広幅部と狭幅部とを含み、前記狭幅部の幅が前記広幅部の幅より小さく、前記狭幅部が前記貫通孔内に挿設され、前記広幅部が前記貫通孔外に突出される。
【００１３】
前記狭幅部の前記広幅部とは異なる側の端面に凹部が凹設され、前記釣合い重りは前記凹部内に設けられる。
【００１４】
前記嵌め環は、環本体と２個のＯリングとを含み、前記環本体が前記芯部材に嵌め込まれ、前記環本体の前記芯部材とは異なる側の外周縁に２個の凹溝が環状に凹設され、前記２個のＯリングが前記２個の凹溝内に設けられ、前記２個のＯリングの前記環本体とは異なる側が前記連通管部の内壁面に当接される。
【００１５】
前記内層壁及び前記外層壁の材質は、ガラスでかつ透明状を呈し、前記芯部材の材質が金属である。
【図面の簡単な説明】
【００１６】
【図１】本発明の実施形態１に係る二重構造を備える燃焼器具の立体外観図である。
【図２】本発明の実施形態１に係る二重構造を備える燃焼器具の立体分解図である。
【図３】本発明の実施形態１に係る二重構造を備える燃焼器具の構造断面図である。
【図４】本発明の実施形態２に係る二重構造を備える燃焼器具の立体外観図である。
【図５】本発明の実施形態２に係る二重構造を備える燃焼器具の立体分解図である。
【図６】本発明の実施形態２に係る二重構造を備える燃焼器具の構造断面図である。
【発明を実施するための形態】
【００１７】
図１乃至図３を参照すると、本発明の実施形態１に係る二重構造を備える燃焼器具の立体外観図、立体分解図及び構造断面図である。本発明の燃焼器具１０は、本体２０と芯部材３０と嵌め環４０とを含み；
前記本体２０は、内層壁２１と外層壁２２とを含み、前記内層壁２１内に燃料用容器２１１が設けられ、前記内層壁２１に前記燃料用容器２１１に連通する開口部２１２が設けられ、前記外層壁２２が前記内層壁２１に外嵌され、前記内層壁２１と前記外層壁２２との間に１つの中空空間２３が形成されている。前記内層壁２１と前記外層壁２２が一体成形構造となり、本実施形態において前記内層壁２１及び前記外層壁２２の材質がガラスでかつ透明状を呈する。
【００１８】
前記外層壁２２の内壁面は、前記内層壁２１の外壁面に接触せず、前記内層壁２１が格納部２１３と連通管部２１４とを含み、前記格納部２１３が円筒状を呈し、前記燃料用容器２１１が前記格納部２１３に設けられ、前記連通管部２１４が前記格納部２１３に接続され、前記開口部２１２が前記連通管部２１４に設けられ、前記外層壁２２が外筒部２２１と接続部２２２とを含み、前記外筒部２２１が中空円筒状を呈し、前記格納部２１３の円弧の中心軸が前記外筒部２２１の円弧の中心軸と同一で、前記接続部２２２の一側が前記連通管部２１４の前記格納部２１３とは異なる端に接続され、かつ他側が前記外筒部２２１の垂直方向に沿う頂端に接続される。
【００１９】
前記外層壁２２の垂直方向に沿う底端に前記中空空間２３に連通する貫通孔２４が設けられ、前記本体２０にベース部２５が連結され、前記ベース部２５は前記貫通孔２４に設けられる。前記ベース部２５に釣合い重り２６が連結され、前記釣合い重り２６は前記中空空間２３内に設けられる。前記ベース部２５は、広幅部２５１と狭幅部２５２とを含み、前記狭幅部２５２の幅が前記広幅部２５１の幅より小さく、前記狭幅部２５２が前記貫通孔２４内に挿設され、前記広幅部２５１が前記貫通孔２４外に突出される。前記狭幅部２５２の前記広幅部２５１とは異なる側の端面に凹部２５３が凹設され、前記釣合い重り２６は前記凹部２５３内に設けられる。
【００２０】
前記芯部材３０は、前記開口部２１２を通して前記燃料用容器２１１内に挿設され、本実施形態内において前記芯部材３０の材質が金属である。
【００２１】
前記嵌め環４０は、前記芯部材３０の外周縁部に外嵌されると共に前記開口部２１２の内壁面に当接される。前記嵌め環４０は、環本体４１と２個のＯリング４２とを含み、前記環本体４１が前記芯部材３０に嵌め込まれ、前記環本体４１の前記芯部材３０とは異なる側の外周縁に２個の凹溝４１１が環状に凹設され、前記２個のＯリング４２が前記２個の凹溝４１１内に設けられ、前記２個のＯリング４２の前記環本体４１とは異なる側が前記連通管部２１４の内壁面に当接される。本実施形態において前記環本体４１の材質が金属或いはプラスチックである。
【００２２】
前記燃焼器具１０は、上記二重構造を通じて、良好な断熱効果を奏することができる。
【００２３】
図４乃至図６を参照すると、本発明の実施形態２に係る二重構造を備える燃焼器具の立体外観図、立体分解図及び構造断面図である。本発明の実施形態２と実施形態１は概略的には同じで、主な相違点は、前記外層壁２２ａの内壁面が前記内層壁２１ａの外壁面に接触せず、前記内層壁２１ａが格納部２１３ａと連通管部２１４ａとを含み、前記格納部２１３ａが中空球状を呈し、前記燃料用容器２１１ａが前記格納部２１３ａに設けられ、前記連通管部２１４ａが前記格納部２１３ａに接続され、前記開口部２１２ａが前記連通管部２１４ａに設けられ、前記外層壁２２ａが中空球状を呈し、前記格納部２１３ａの球の中心が前記外層壁２２ａの球の中心と異なり、前記外層壁２２ａが前記連通管部２１４ａの前記格納部２１３ａとは異なる端に接続されることである。
【００２４】
上記から本発明は以下の利点があることをまとめる。
本発明に係る二重構造を備えた燃焼器具は、本体と芯部材と嵌め環とを含み、前記本体が内層壁と外層壁とを含み、前記内層壁内に燃料用容器が設けられ、前記内層壁に前記燃料用容器に連通する開口部が設けられ、前記外層壁が前記内層壁に外嵌され、前記内層壁と前記外層壁との間に１つの中空空間が形成され、前記内層壁及び前記外層壁が一体成形構造となり、前記芯部材が前記開口部を通して前記燃料用容器内に挿設され、前記嵌め環が前記芯部材の外周縁部に外嵌されると共に前記開口部の内壁面に当接される。従って、前記燃焼器具は上記二重構造を通じて、良好な断熱効果を奏することができる。
【符号の説明】
【００２５】
１０  燃焼器具
２０  本体
２１  内層壁
２１１  燃料用容器
２１２  開口部
２１３  格納部
２１４  連通管部
２２  外層壁
２２１  外筒部
２２２  接続部
２３  中空空間
２４  貫通孔
２５  ベース部
２５１  広幅部
２５２  狭幅部
２５３  凹部
２６  釣合い重り
３０  芯部材
４０  嵌め環
４１  環本体
４１１  凹溝
４２  Ｏリング
２１ａ  内層壁
２１１ａ  燃料用容器
２１２ａ  開口部
２１３ａ  格納部
２１４ａ  連通管部
２２ａ  外層壁
【図１】
2020140949.tif 000003
【図２】
2020140949.tif 000004
【図３】
2020140949.tif 000005
【図４】
2020140949.tif 000006
【図５】
2020140949.tif 000007
【図６】
2020140949.tif 000008
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
内層壁と外層壁とを含み、前記内層壁内に燃料用容器が設けられ、前記内層壁に前記燃料用容器に連通する開口部が設けられ、前記外層壁が前記内層壁に外嵌され、前記内層壁と前記外層壁との間に１つの中空空間が形成される本体と、
前記開口部を通して前記燃料用容器内に挿設される芯部材と、
前記芯部材の外周縁部に外嵌されると共に前記開口部の内壁面に当接される嵌め環と、を含み、
前記内層壁及び前記外層壁は一体成形構造となっていることを特徴とする、二重構造を備えた燃焼器具。
【請求項２】
内層壁と外層壁とを含み、前記内層壁内に燃料用容器が設けられ、前記内層壁に前記燃料用容器に連通する開口部が設けられ、前記外層壁が前記内層壁に外嵌され、前記内層壁と前記外層壁との間に１つの中空空間が形成される本体と、
前記開口部を通して前記燃料用容器内に挿設される芯部材と、
前記芯部材の外周縁部に外嵌されると共に前記開口部の内壁面に当接される嵌め環と、を含み、
前記外層壁の内壁面は、前記内層壁の外壁面に接触せず、前記内層壁が格納部と連通管部とを含み、前記格納部が円筒状を呈し、前記燃料用容器が前記格納部に設けられ、前記連通管部が前記格納部に接続され、前記開口部が前記連通管部に設けられ、前記外層壁が外筒部と接続部とを含み、前記外筒部が中空円筒状を呈し、前記格納部の円弧の中心軸が前記外筒部の円弧の中心軸と同一で、前記接続部の一側が前記連通管部の前記格納部とは異なる端に接続され、かつ他側が前記外筒部の垂直方向に沿う頂端に接続されることを特徴とする、二重構造を備えた燃焼器具。
【請求項３】
内層壁と外層壁とを含み、前記内層壁内に燃料用容器が設けられ、前記内層壁に前記燃料用容器に連通する開口部が設けられ、前記外層壁が前記内層壁に外嵌され、前記内層壁と前記外層壁との間に１つの中空空間が形成される本体と、
前記開口部を通して前記燃料用容器内に挿設される芯部材と、
前記芯部材の外周縁部に外嵌されると共に前記開口部の内壁面に当接される嵌め環と、を含み、
前記外層壁の内壁面は、前記内層壁の外壁面に接触せず、前記内層壁が格納部と連通管部とを含み、前記格納部が中空球状を呈し、前記燃料用容器が前記格納部に設けられ、前記連通管部が前記格納部に接続され、前記開口部が前記連通管部に設けられ、前記外層壁が中空球状を呈し、前記格納部の球の中心が前記外層壁の球の中心と異なり、前記外層壁が前記連通管部の前記格納部とは異なる端に接続されることを特徴とする、二重構造を備えた燃焼器具。
【請求項４】
前記外層壁の垂直方向に沿う底端に前記中空空間に連通する貫通孔が設けられ、前記本体にベース部が連結され、前記ベース部は前記貫通孔に設けられることを特徴とする、請求項１ないし３のいずれか一項に記載の燃焼器具。
【請求項５】
前記ベース部に釣合い重りが連結され、前記釣合い重りは前記中空空間内に設けられることを特徴とする、請求項４に記載の燃焼器具。
【請求項６】
前記ベース部は、広幅部と狭幅部とを含み、前記狭幅部の幅が前記広幅部の幅より小さく、前記狭幅部が前記貫通孔内に挿設され、前記広幅部が前記貫通孔外に突出されることを特徴とする、請求項５に記載の燃焼器具。
【請求項７】
前記狭幅部の前記広幅部とは異なる側の端面に凹部が凹設され、前記釣合い重りは前記凹部内に設けられることを特徴とする、請求項６に記載の燃焼器具。
【請求項８】
前記嵌め環は、環本体と２個のＯリングとを含み、前記環本体が前記芯部材に嵌め込まれ、前記環本体の前記芯部材とは異なる側の外周縁に２個の凹溝が環状に凹設され、前記２個のＯリングが前記２個の凹溝内に設けられ、前記２個のＯリングの前記環本体とは異なる側が前記連通管部の内壁面に当接されることを特徴とする、請求項２又は３に記載の燃焼器具。
【請求項９】
前記内層壁及び前記外層壁の材質は、ガラスでかつ透明状を呈し、前記芯部材の材質が金属であることを特徴とする、請求項１ないし３のいずれか一項に記載の燃焼器具。